【手続補正書】
【提出日】平成17年10月12日(2005.10.12)
【手続補正１】
【補正対象書類名】明細書
【補正対象項目名】全文
【補正方法】変更
【補正の内容】
【書類名】  明細書
【発明の名称】  酸素富化機
【特許請求の範囲】
【請求項１】  酸素濃度の高い酸素富化空気を生成する酸素富化手段を有する本体と、前記酸素富化空気を使用者の口元近傍に吐出する吐出口とを備え、前記酸素富化手段と前記吐出口を連通する通路のうち、少なくとも一部を着脱自在とした酸素富化機。
【請求項２】  酸素富化手段を、酸素富化膜と、前記酸素富化膜を介して空気を吸引するポンプで形成した請求項１記載の酸素富化機。
【請求項３】  吐出口を有する吐出ユニットを設け、前記吐出ユニットに一端が着脱自在に接続される連結管を介して、前記吐出ユニットと本体を連通させた請求項１または２記載の酸素富化機。
【請求項４】  本体と連通する連結管に接続される吐出口本体と、前記吐出口本体に着脱自在に取着されると共に吐出口を有する蓋体からなる吐出ユニットを備えた請求項１または２記載の酸素富化機。
【請求項５】  酸素富化空気に含まれる菌やウイルスの活動を抑制する抗菌フィルター又は／および同酸素富化空気に含まれる微粒子を捕捉するＨＥＰＡフィルターを、吐出ユニットに内蔵した請求項３または４記載の酸素富化機。
【請求項６】  酸素富化空気に香を与える芳香剤を吐出ユニットに内蔵した請求項３〜５のいずれか１項記載の酸素富化機。
【請求項７】  抗菌フィルター、ＨＥＰＡフィルター、芳香剤の少なくとも一つを、蓋体に取り付けた請求項５又は６記載の酸素富化機。
【請求項８】  使用者の少なくとも一方の耳に当てるように保持される耳当てと、吐出口を有する吐出ユニットと、前記耳当ての下部に設けられると共に内部で連通された２個の接続パイプと、前記接続パイプの一方と前記吐出ユニットを連結する連結管からなるヘッドセットユニットを備え、他方の接続パイプと本体とを第２の連結管で連結した請求項１〜７のいずれか１項記載の酸素富化機。
【請求項９】  接続パイプと第２の連結管を着脱自在とした請求項８記載の酸素富化機。
【請求項１０】  接続パイプと連結管を着脱自在とした請求項８記載の酸素富化機。
【請求項１１】  吐出口を着脱自在でかつ通気性の材料からなるカバーで覆った請求項１〜１０のいずれか１項記載の酸素富化機。
【発明の詳細な説明】
【０００１】
【発明の属する技術分野】
本発明は酸素富化空気を使用者に提供する酸素富化機に関するものである。
【０００２】
【従来の技術】
従来の酸素富化機は、空気中の酸素を濃縮して酸素富化空気を発生させる装置本体と、これに接続された酸素吐出口と、音声発生源と、ヘッドホンタイプの音声出力部等を備え、前記酸素吐出口と前記音声出力部を一体にし、前記酸素吐出口を人体の口の部分に位置させることで酸素吸入できるようにしてある（例えば、特許文献１参照）。
【０００３】
【特許文献１】
特開平３−６３０６７号公報
【０００４】
【発明が解決しようとする課題】
このようなタイプの酸素富化機は、一人が専用として使用するのではなく不特定多数の多くの人が使用することが多いが、前記従来の構成では、酸素吐出口を使用者の口の部分に位置させるため、たとえ口に直接装着しないとはいえ口に近接することから不快感を与えるという課題があった。
【０００５】
本発明は、上記課題を解決し、各自が不快感無く使用できる酸素富化機を提供する事を目的とするものである。
【０００６】
【課題を解決するための手段】
上記課題を解決するために本発明は、酸素濃度の高い酸素富化空気を生成する酸素富化手段を有する本体と、前記酸素富化空気を使用者の口元近傍に吐出する吐出口とを備え、前記酸素富化手段と前記吐出口を連通する通路のうち、少なくとも一部を着脱自在としたので、着脱自在の部位より下流側の部材を、自分専用に確保し、それを、不特定多数の人に使用される酸素富化機に接続できることで、何ら不快感を持つことなく酸素富化機を使用することができる。
【０００７】
【発明の実施の形態】
請求項１に記載の発明は、酸素濃度の高い酸素富化空気を生成する酸素富化手段を有する本体と、前記酸素富化空気を使用者の口元近傍に吐出する吐出口とを備え、前記酸素富化手段と前記吐出口を連通する通路のうち、少なくとも一部を着脱自在としたので、着脱自在の部位より下流側の部材を、自分専用に確保し、それを、不特定多数の人に使用される酸素富化機に接続できることで、何ら不快感を持つことなく酸素富化機を使用することができる。
【０００８】
また、請求項２記載の発明は、酸素富化手段を、酸素富化膜と、前記酸素富化膜を介して空気を吸引するポンプで形成したもので、簡単な構成で、酸素富化空気が得られる。
【０００９】
請求項３記載の発明は、吐出口を有する吐出ユニットを設け、前記吐出ユニットに一端が着脱自在に接続される連結管を介して、前記吐出ユニットと本体を連通させたもので、吐出ユニットだけを交換でき、自分専用に使用するのは、吐出ユニットだけなので、保管、持ち運び、メンテが極めて容易である。
【００１０】
請求項４記載の発明は、本体と連通する連結管に接続される吐出口本体と、前記吐出口本体に着脱自在に取着されると共に吐出口を有する蓋体からなる吐出ユニットを備えたもので、蓋体だけを交換でき、自分専用にして使用する部分は、蓋体だけで済むので、保管、持ち運び、メンテが極めて容易である。
【００１１】
請求項５記載の発明は、酸素富化空気に含まれる菌やウイルスの活動を抑制する抗菌フィルター又は／および同酸素富化空気に含まれる微粒子を捕捉するＨＥＰＡフィルターを、吐出ユニットに内蔵したもので、吸引する酸素富化空気から菌、ウイルス、微粒子が除去されるので、極めて衛生的である。
【００１２】
請求項６記載の発明は、酸素富化空気に香を与える芳香剤を吐出ユニットに内蔵したもので、自分の好みに合った芳香剤を使用することで、より快適かつ爽快に酸素富化機を利用することができるようになる。
【００１３】
請求項７記載の発明は、抗菌フィルター、ＨＥＰＡフィルター、芳香剤の少なくとも一つを、蓋体に取り付けたもので、自分専用に所持、使用する蓋体に、フィルター或いは、および自分の好み合った芳香剤が付いているので、安心して、しかも快適、爽快に酸素富化機を利用することができるようになる。
【００１４】
請求項８記載の発明は、使用者の少なくとも一方の耳に当てるように保持される耳当てと、吐出口を有する吐出ユニットと、前記耳当ての下部に設けられると共に内部で連通された２個の接続パイプと、前記接続パイプの一方と前記吐出ユニットを連結する連結管からなるヘッドセットユニットを備え、他方の接続パイプと本体とを第２の連結管で連結したもので、耳当てにより、吐出ユニットの位置が口元に固定されるので、酸素富化空気を効率良く吸引する事ができる。
【００１５】
請求項９記載の発明は、接続パイプと第２の連結管を着脱自在としたもので、自分専用のヘッドセットユニットを、共用で使用される酸素富化機に接続する事が出来、前使用者の頭髪に使用された整髪剤などの臭いを気にすることなく、快適に使用することができる。
【００１６】
請求項１０記載の発明は、接続パイプと連結管を着脱自在としたもので、使用時に頻繁に触られる連結管とともに、吐出ユニットを自分専用のものと容易に交換できるので、衛生的である。
【００１７】
請求項１１記載の発明は、吐出口を着脱自在でかつ通気性の材料からなるカバーで覆ったもので、自分専用のカバーで吐出口を覆うようにすれば、極めて安価に、かつ不快感無しに酸素富化機を利用する事ができるようになる。
【００１８】
【実施例】
以下、本発明の一実施例について図１乃至１２を用いて説明する。
【００１９】
本体１の内部には、酸素の濃度を高め、いわゆる酸素富化空気を発生する、例えば酸素富化膜ユニット等の酸素富化手段（以下、「酸素富化膜ユニット」と称す）２を設けている。前記酸素富化膜ユニット２は有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施例の酸素富化膜ユニット２を通過後の酸素富化空気においては、酸素が占める割合が約３０％（窒素約７０％）となる。
【００２０】
また、前記酸素富化膜ユニット２は、図６、図７に示す如くメッシュ構造のフレーム３の両側面に略長方形の酸素富化膜４を貼って両膜間を通路としたモジュール５を、複数枚積層した略直方体のユニット構造となっており、フレーム３の通路内を吸引することにより、酸素富化膜４の周辺を流れる空気の一部が酸素富化膜４を通過してフレーム３の通路内に入りこみ、酸素富化空気が得られ、この得られた酸素富化空気を酸素富化膜ユニット２の唯一の排出口であるユニット排出口６から集中排気している。
【００２１】
また、本体１の内部には、本体１の背面に設けた吸気口７から本体１内に外気を吸引し、酸素富化膜ユニット２に送った後、酸素富化膜４を通過しフレーム３の通路内に吸引された空気を除いた外気を、本体１の側面に設けた排気口８から外部に排出するためのモーターファン等の送風部（以下、「ファン」と称す）９を有している。また前記ファン９は、酸素富化膜ユニット２の下流側で、排気口８の近傍に設けられており、ファン９に対して酸素富化膜ユニット２の反対側には回路７０を基板がフレーム３と平行な方向になるように取り付けられている。
【００２２】
１０はポンプ等の吸引手段（以下、「ポンプ」と称す）で、本体１内の酸素富化膜ユニット２の下方に設けられ、回転軸の両端に冷却用のファン１０ｂを有し、酸素富化膜ユニット２の周辺の空気を酸素富化膜４からフレーム３の通路内に吸引して下流側に送る。そして更にこのポンプ１０は、酸素富化膜４を通過した後の酸素富化空気を、下流側の消音パイプ１１を介して、本体１の側面に設けられた吐出口部１２に送り、さらに吐出口部１２と連結される後述の酸素富化空気吐出手段であるヘッドセットユニット１３に送り込んでいる。また前記ポンプ１０には、酸素富化膜４の通過圧損に対抗して酸素富化空気の流量を稼ぐために運転時の圧力が高いベローズポンプが用いられている。
【００２３】
更に前記ポンプ１０は図４に示す如く板金３７に取りつけられ、防振材３８、３９を介して本体１の底部ボスに嵌合して取り付けられている。ボスからの抜けを防止するワッシャ４０、ビス４１で留められている。さらに本体１は防振機能を持つ脚４２を底面に設けている。ポンプ１０の駆動源であるモータ１０ａの過熱防止のための温度ヒューズ４３はクッション４５によってモータ１０ａに接触する方向に付勢して取り付けられている。
【００２４】
また１６、１７は、内ケース左、内ケース右であり、酸素富化膜ユニット２とポンプ１０を内蔵する内ケースを構成し、それぞれの上方に把手１４の回転軸部１５を直接受ける軸受け部１８、１９を一体に設けている。また２０は後述するヘッドセットユニット１３を使用しない時に、引っ掛けて保持しておくための、保持部であり、その外端は大径部としてある。前記保持部２０は前記把手１４の回転軸部１５と一体に設けられており、本体１の側面に別途設ける必要が無く、把手１４の回動の邪魔になることもない。また回転軸部１５と一体に設けられているため、外観のデザイン性も違和感が無く、良いものである。
【００２５】
また、図８の要部概略構成図に示す如く、本体１内のポンプ１０と、酸素富化膜ユニット２のユニット排出口６との間の経路において、外気導入切替用の電磁弁６０を有し、運転終了前に約１分間、電磁弁６０を開いて酸素富化膜４を通過していない外気を吸入してポンプ１０により下流側に送る送風運転を行なうことにより、配管内等に滞留した高湿度の空気を換気し、水滴が発生した場合は、後述する液だまり２２まで追い出し、途中の経路が乾きやすいように構成してある。
【００２６】
また、図８に示すように外気導入切替用の電磁弁６０の上流には、ＨＥＰＡフィルター６１が設けられており、外気を導入する際に、前記ＨＥＰＡフィルター６１により、０．３ミクロンの粒子を９９．７％除去できるように構成されている。
【００２７】
図９は、ヘッドセットユニット１３と本体１との接続状態を示すもので、同ヘッドセットユニット１３は、本体１側面に回動可能に取り付けた曲がり管によって構成された吐出口部１２に送られた酸素富化空気を、使用者の口元に供給するためのものである。本体１の側面に設けた吐出口部１２とヘッドセットユニット１３との間の経路には、液だまり２２が配され、吐出口部１２と前記液だまり２２とは、塩化ビニル等の柔軟な透明チューブからなる第１の連結管２３で着脱自在に接続され、前記液だまり２２と前記ヘッドセットユニット１３は、同じく塩化ビニル等の透明チューブからなる柔軟な第２の連結管２４で着脱自在に接続されている。そして上記第１の連結管２３と、第２の連結管２４は抗菌剤か帯電防止剤あるいはその両方を含んでいる。
【００２８】
液だまり２２はＯリングで気密を保ちながら、ねじ方式あるいは圧入方式等により、その本体部分が２２ａと２２ｂの２つに分離可能に設けられ、本体部分を２つに分離して内部に溜まった水滴等を排出可能に設けられている。この時ねじ方式では１回転以内のねじりにより分離・結合が可能となるようにしてある。また、液だまり２２と第１の連結管２３との接続部、及び前記液だまり２２と第２の連結管２４との接続部から、それぞれ前記液だまり２２内に突き出た管部Ａ３０、管部Ｂ３１を設けるとともに、前記管部Ａ３０と管部Ｂ３１は、互いの管の中心軸をずらして設けてある。
【００２９】
ヘッドセットユニット１３は、使用者の左耳に当てる耳当て部左２５と、右耳に当てる耳当て部右２６と、耳当て部左２５と耳当て部右２６を接続するヘッドバンド２７と、酸素富化空気を吐出する吐出口２１ａを有する吐出ユニット２１と、耳当て部左２５と吐出ユニット２１とを連通接続すると共に折り曲げ自在の第３の連結管２９とを備えている。
【００３０】
第３の連結管２９、第２の連結管２４と耳当て部左２５との接続は、図１０に示される通りである。すなわち、耳当て部左２５の底面２８に、第１接続パイプ２５ａ、第２接続パイプ２５ｂが一体的に設けられ、両パイプ２５ａ、２５ｂは、耳当て部左２５の下方に設けた空間部２５ｃを介して連通している。そして、柔軟な材料からなる第２の連結管２４の一端は、第２接続パイプ２５ｂに、着脱自在に挿嵌される。また、第３の連結管２９の一端は、第１接続パイプ２５ａ内に着脱自在に挿入される。なお、使用中に第３の連結管２９が第１接続パイプ２５ａから容易に外れないようにする為に、第３の連結管２９の端部は、第１接続パイプ２５ａ内に圧入ぎみに挿入されるようにしている。
【００３１】
次に吐出ユニット２１の詳細について、図１１、１２を用いて説明する。
【００３２】
吐出ユニット２１は、吐出口本体２１ｂと、その吐出口本体２１ｂの上部開口２１ｃを着脱自在に覆うとともに、吐出口２１ａを有する蓋体２１ｄと、通気性のあるスポンジのシート等から形成され、蓋体２１ｄを着脱自在に覆うカバー２１ｅで、構成されている。
【００３３】
蓋体２１ｄを、吐出口本体２１ｂに取りつける時は、蓋体２１ｄの片側に設けた突起２１ｆを、吐出口本体２１ｂに設けた凹部２１ｇに引っ掛け、蓋体２１ｄの他端を下方に押すことにより、Ｕ字状部２１ｈが、内方に撓みながら吐出口本体２１ｂ内に入り、最終的に蓋体２１ｄに設けた爪２１ｊが、吐出口本体２１ｂに設けた凹部Ａ２１ｋに引っ掛かり、取り付けが完了する。蓋体２１ｄを吐出口本体２１ｂから外す時は、爪２１ｊの上方に位置して蓋体２１ｄに設けた引っ掛け片２１ｍを、内側斜め上方に押しながら引き上げると、爪２１ｊと凹部Ａ２１ｋの係合が解かれ、蓋体２１ｄを外す事ができる。
【００３４】
３４は、ハニカム基材に酵素を添着したバイオ除菌フィルター等の除菌フィルター（以下、「除菌フィルター」と称す）で、キャッチした菌などの活動を抑制し、さらにウイルスの活動も抑制するためのものである。
【００３５】
除菌フィルター３４の下流側には、０．３ミクロンの粒子を９９．７％除去すると共に、抗菌材アメニトップの働きで捕集した菌、カビの活動を制御する抗菌材アメニトップのＨＥＰＡフィルター等の高捕集効率フィルター（以下、「ＨＥＰＡフィルター」と称す）３５が配されている。
【００３６】
除菌フィルター３４、ＨＥＰＡフィルター３５は、蓋体２１ｄに設けた爪部２１ｎで、蓋体２１ｄに保持されている。４６は、芳香剤を含浸した球状の芳香剤で、吐出空気に香をつけるものである。
【００３７】
蓋体２１ｄを覆うカバー２１ｅには、除菌、抗菌のいずれか又は両方の処理が施され、さらに赤、青、黒、白などの色付けがしてあり、持ち主の区分けが容易にできるようになっている。
【００３８】
吐出口本体２１ｂには、耳当て部左２５に一端が接続された第３の連結管２９の他端が着脱自在に圧入される取り付け部２１ｐが一体的に設けられ、吐出口２１ａと連通している。
【００３９】
また、図５に示す３２は本体１の天面に設けられた運転スイッチであり、３３は、同じく本体１の天面に設けられ、選択されたタイマーによる運転時間あるいは送風運転の通電状態を表示するランプである。そして５０は本体１の前面に設けられ、通常運転をしている（高酸素濃度のいわゆる酸素富化空気の供給をしている）時のみ点灯表示するＬＥＤである。
【００４０】
次に、上記構成に基づく本実施例の動作について、説明する。
【００４１】
使用者はヘッドセットユニット１３を頭部にセットした上で、運転スイッチ３２をＯＮ操作すると、ポンプ１０に動作電源を供給する制御手段（図示せず）が動作し、通電状態を示すランプ３３が点灯すると共に、タイマーで設定した時間に応じてポンプ１０が運転し、かつファン９が作動する。
【００４２】
そしてファン９の運転により本体１に設けた吸気口７より外気が吸引され、この外気は酸素富化膜ユニット２を通り、排気口８から本体外に排出される。一方、前記酸素富化膜ユニット２を通る外気はこれを通過する際、ポンプ１０の運転により空気が酸素富化膜ユニット２のフレーム３内に吸引され、その際酸素が通過しやすいところから酸素富化された空気となる。そしてこの酸素富化空気は吐出口部１２に送出され、当該吐出口部１２より吐出される。
【００４３】
上記吐出口部１２より吐出される酸素富化空気は、第１の連結管２３、液だまり２２、第２の連結管２４、耳当て部左２５、第３の連結管２９を経て、吐出ユニット２１に至り、吐出口２１ａより吐出され、カバー２１ｅを通して外部に放出される。使用者は、必要に応じて、第３の連結管２９を動かして、吐出口２１ａが、口や鼻に近づけることにより、吐出口２１ａから吐出される酸素富化空気を、口や鼻から吸引できるようになる。
【００４４】
本実施例では、耳当て左部２５に設けた第２接続パイプ２５ｂと第２の連結管２４とを着脱自在にしてあるので、使用者は自分専用のヘッドセット１３を、皆で共用で用いる酸素富化機の本体１に、接続して、不快感なく快適に使用する事ができる。頭髪に用いる整髪剤は、人によって臭いも含め成分が異なるので、上記のように、自分専用のヘッドセット１３を保有し、それを使うようにすれば、整髪剤の臭いを気にすることなく、非常に快適である。
【００４５】
また、本実施例では、第３の連結管２９と、耳当て部左２５に設けた第１接続パイプ２５ａとを着脱自在にしてあるので、使用者は自分専用の第３の連結管２９付きの吐出ユニット２１を、皆で共用で用いるヘッドセットユニット１３の耳当て左２５に接続して、不快感なく快適に使用する事ができる。特に第３の連結管２９は、使用時に頻繁に触れるものであるから、自分専用の第３の連結管２９を、使用することは、非常に衛生的である。
【００４６】
さらに、本実施例では、第３の連結管２９と、吐出ユニット２１とを着脱自在にしてあるので、使用者は自分専用の吐出ユニット２１を、常時持ち歩き、必要な時に、皆で共用で用いるヘッドセットユニット１３に接続された第３の連結管２９に自分の吐出ユニット２１を接続するようにすれば、不快感なく、酸素富化機を用いる事ができるものである。特に、この場合は、吐出ユニット２１に棒状のようなものが一切ないので、ポケットや、手持カバンなどに収納する事が容易なので、保管、持ち運びが極めて容易である。
【００４７】
さらに、本実施例では、吐出ユニット２１の吐出口本体２１ｂと、蓋体２１ｄを着脱自在にしてあるので、使用者は、自分専用の蓋体２１ｄと、カバー２１ｅを、常時持ち歩き、必要な時に、皆で共用で用いるヘッドセットユニット１３に接続された吐出口本体２１ｂに自分専用の蓋体２１ｄとカバー２１ｅを取り付けることで、不快感なく、酸素富化機を用いる事ができる。特に、この場合は、蓋体２１ｄには、除菌フィルター３４、ＨＥＰＡフィルター３５、好みの芳香剤４６が内蔵されているので、より衛生的で、快適に使用することができるものである。勿論保管、持ち運びも極めて容易である。
【００４８】
さらに、本実施例では、吐出口２１ａを設けた蓋体２１ｄに、着脱自在なカバー２１ｅが設けてあるため、使用者はこのカバー２１ｅを蓋体２１ｄから取り外して自分専用のカバー２１ｅに簡単に交換することができ、不快感を感じることなく快適に使用する事ができる。又カバー２１ｅには、色付けが施されているため、使用者毎に異なる色のカバー２１ｅを取り替えて使用することにより他の使用者のものを間違って使用することも防止できる。この場合は、各個人は、自分専用のカバー２１ｅを保管、持ち歩くだけなので、コスト的にも安く、取り扱いも非常に容易である。
【００４９】
また、本実施例では、本体１とヘッドセットユニット１３を結ぶ経路（第１、第２の連結管２３、２４）途中に液だまり２２が設けてあるので、運ばれてきた結露水の大部分は、液だまり２２の内壁等に衝突し、液だまり２２内にせき止められるようになる。このため使用者の口元に、酸素富化空気と共にヘッドセットユニット１３の吐出口２１ａから水滴が飛散して不快感を与えることも防止できる。また、第１、第２の連結管２３、２４は、抗菌剤か帯電防止剤又はその両方を含有しているため、雑菌の繁殖や埃の付着を防止できるので、清潔に使用することができる。
【００５０】
更に、吐出口２１ａの近傍の上流側に、ハニカム基材に酵素を添着したバイオ除菌フィルター３４を、同じく近傍の下流側に、抗菌材アメニトップのＨＥＰＡフィルター３５をそれぞれ有しており、前記バイオ除菌フィルター３４は、キャッチした菌などの活動を抑制し、さらにウイルスの活動も抑制し、また、前記抗菌材アメニトップのＨＥＰＡフィルター３５は、０．３ミクロンの粒子を９９．７％除去すると共に、抗菌材アメニトップの働きで捕集した菌、カビの活動を制御するため、経路の途中で雑菌等が発生しても、雑菌等を酸素富化空気と共に使用者が吸込むことを、使用者が吸引する吐出口２１ａ手前の最終段階で防止できるものである。また上記吐出ユニット２１を、吐出口本体２１ｂと蓋体２１ｄで構成しているため、これら除菌、ＨＥＰＡフィルター３４、３５や芳香剤４６の交換が容易にできる。そして芳香剤４６は液体を含浸させて構成したもので、液体に比べて香料の揮発量を制限でき、取り扱いも容易で周囲の樹脂の劣化に対する影響も少ない。
【００５１】
また、カバー２１ｅにも除菌、抗菌のいずれか又は両方の処理が施してあるので、上記各フィルターと同様の効果を得ることできる。
【００５２】
また、吐出ユニット２１に連結される第３の連結管２９は、可撓性自在であるからこれを動かして、吐出口２１ａを使用者の口や鼻に近づけることにより、吐出口２１ａから吐出される酸素富化空気を、口や鼻から効率良く吸引する事ができる。
【００５３】
なお、上記実施例で、酸素富化空気吐出口手段として、使用者が頭部に装着するヘッドセットユニット１３を例示したが、これに限定されるものではなく、首或いは肩にかけるタイプでも支障が無く、又、腕の一部や胴体の一部にマジックテープ（登録商標）等で巻きつけるタイプでも支障無く、さらに、ネクタイ等の衣服の一部にピン等で止めるタイプでも支障なく、勿論防塵マスクのように、耳等を使って顔の一部を覆うタイプでも支障無いものである。
【００５４】
【発明の効果】
以上のように本発明によれば、不特定多数の人が用いる酸素富化機を、不快な気持ちになることなく、快適に使用することができる。
【図面の簡単な説明】
【図１】
本発明の一実施例における酸素富化機の本体の側面からみた断面図
【図２】
同本体の背面からみた断面図
【図３】
同本体の天面からみた断面図
【図４】
同本体に内蔵されたポンプの取付け部を示す腰部断面図
【図５】
（ａ）同本体の正面図
（ｂ）同本体の側面図
（ｃ）同本体の背面図
（ｄ）同本体の平面図
【図６】
同本体に内蔵された酸素富化膜ユニットを構成するモジュールの分解斜視図
【図７】
（ａ）同モジュールを複数枚並べた状態の外観斜視図
（ｂ）同モジュールで構成される酸素富化膜ユニットの外観斜視図
【図８】
酸素富化空気の供給経路の要部を示す概略構成図
【図９】
同酸素富化機に接続されるヘッドセットユニットの外観斜視図
【図１０】
図９のＡ部の拡大断面図
【図１１】
同ヘッドセットユニットに接続される吐出ユニットの断面図
【図１２】
（ａ）同吐出ユニットにとりつけられるカバーの断面図
（ｂ）同吐出ユニットにとりつけられる蓋体の断面図
（ｃ）同吐出ユニットの吐出口本体の断面図
【符号の説明】
１      本体
２      酸素富化膜ユニット（酸素富化手段）
４      酸素富化膜
６      ユニット排出口
９      ファン（送風部）
１０    ポンプ（吸引手段）
１２    吐出口部
１３    ヘッドセットユニット
２１    吐出ユニット
２１ａ  吐出口
２１ｂ  吐出口本体
２１ｄ  蓋体
２３    第１の連結管
２４    第２の連結管
２５    耳当て部左
２５ａ  第１接続パイプ
２５ｂ  第２接続パイプ
２９    第３の連結管
３４    抗菌フィルター
３５    ＨＥＰＡフィルター
４６    芳香剤